(57)【要約】      （修正有）【課題】同一の月の暦が２か国語、３か国語、４か国語など、異なる複数の言語で表示されているカレンダーを提供する。【解決手段】同一の月の暦表示が複数並列して表記されている暦表示部を備え、複数の同一の月の暦表示は、いずれも、それぞれ異なる国におけるそれぞれの公用語で表されている。並列して表記されている複数の同一の月の暦表示のそれぞれに各国における祝祭日が公用語で表示され、また各国の国旗が表示されているのが好ましい。【選択図】図１
0003206254.tif 000002
【実用新案登録請求の範囲】
【請求項１】
同一の月の暦表示が複数並列して表記されている暦表示部を備えているカレンダーであって、
前記複数の同一の月の暦表示は、いずれも、それぞれ異なる国におけるそれぞれの公用語で表されている
カレンダー。
【請求項２】
前記並列して表記されている複数の同一の月の暦表示のそれぞれには当該暦表示の前記各国における祝祭日を当該国の前記公用語で表示する祝祭日表示が付随している
請求項１記載のカレンダー。
【請求項３】
前記並列して表記されている複数の同一の月の暦表示のそれぞれには当該暦表示の前記各国の国旗が表示される国旗表示が付随している
請求項１又は２記載のカレンダー。
【請求項４】
複数月分あるいは、１年１２カ月分が一枚のシートに掲載されている請求項１乃至３のいずれか一項に記載のカレンダー。
【請求項５】
１カ月分あるいは、複数月分が掲載されている複数枚のシートの上端縁が冊子状に綴じられて形成されている請求項１乃至３のいずれか一項に記載のカレンダー。
【請求項６】
一枚または複数枚の請求項１乃至３のいずれか一項に記載のカレンダーの上端側が、支持体の上端側に綴じられているカレンダー。
【請求項７】
前記支持体は、底面を支持面とし、上端が頂点となる三角筒状体である、卓上カレンダーとして使用される請求項６のカレンダー。
【考案の詳細な説明】
【技術分野】
【０００１】
この考案はカレンダーに関する。特に、同一の月の暦表示が複数並列して表記されている暦表示部を備えていて、前記複数の同一の月の暦表示が、いずれも、それぞれ異なる国におけるそれぞれの公用語で表されていることにより、同一の月の暦が２か国語、３か国語、４か国語など、異なる複数の言語で表示されているカレンダーに関する。
【背景技術】
【０００２】
カレンダーにおいて、日、曜日などが表示される暦表示は一の言語で表示されるのが一般的である。
【０００３】
例えば、日本のカレンダーであれば、日にちが１、２、３、等の数字で表示され、月曜日、火曜日、等の曜日は日本語で表示されている。
【０００４】
一の言語とは異なる他の言語の表示が存在している場合もあるが、一般的には、月曜日、火曜日、等の日本語表記に付随させて、Ｍｏｎ．、Ｔｕｅ．等の対応する異なる言語の省略形などが表示されているものである。
【０００５】
日、曜日などが表示される暦表示を一の言語（例えば、日本語）で表示しながら、英語などの異なる言語での表示をその暦表示部などに表記する提案もあるが、それは、ほとんどが、語学学習用のカレンダーであった（特許文献１、２、３）。
【先行技術文献】
【特許文献】
【０００６】
【特許文献１】実開平５−７６７７０号公報
【特許文献２】実用新案登録第３０９６７４７号公報
【特許文献３】実用新案登録第３１０８６８１号公報
【考案の概要】
【考案が解決しようとする課題】
【０００７】
この考案は、同一の月の暦表示が複数並列して表記されている暦表示部を備えていて、前記複数の同一の月の暦表示が、いずれも、それぞれ異なる国におけるそれぞれの公用語で表されていることにより、同一の月の暦が２か国語、３か国語、４か国語など、異なる複数の言語で表示されているカレンダーを提案することを目的にしている。
【課題を解決するための手段】
【０００８】
［１］
同一の月の暦表示が複数並列して表記されている暦表示部を備えていて、
前記複数の同一の月の暦表示は、いずれも、それぞれ異なる国におけるそれぞれの公用語で表されているカレンダー。
【０００９】
［２］
前記並列して表記されている複数の同一の月の暦表示のそれぞれには当該暦表示の前記各国における祝祭日を当該国の前記公用語で表示する祝祭日表示が付随している［１］のカレンダー。
【００１０】
［３］
前記並列して表記されている複数の同一の月の暦表示のそれぞれには当該暦表示の前記各国の国旗が表示される国旗表示が付随している［１］又は［２］のカレンダー。
【００１１】
［４］
複数月分あるいは、１年１２カ月分が一枚のシートに掲載されている［１］乃至［３］のいずれかのカレンダー。
【００１２】
［５］
１カ月分あるいは、複数月分が掲載されている複数枚のシートの上端縁が冊子状に綴じられて形成されている［１］乃至［３］のいずれかのカレンダー。
【００１３】
［６］
一枚または複数枚の［１］１乃至［３］のいずれかに記載のカレンダーの上端側が、支持体の上端側に綴じられているカレンダー。
【００１４】
［７］
前記支持体は、底面を支持面とし、上端が頂点となる三角筒状体である、卓上カレンダーとして使用される［６］のカレンダー。
【考案の効果】
【００１５】
この考案によれば、同一の月の暦表示が複数並列して表記されている暦表示部を備えていて、前記複数の同一の月の暦表示が、いずれも、それぞれ異なる国におけるそれぞれの公用語で表されていることにより、同一の月の暦が２か国語、３か国語、４か国語など、異なる複数の言語で表示されているカレンダーを提供することができる。
【図面の簡単な説明】
【００１６】
【図１】この考案の一実施形態を表す図
【図２】この考案の他の実施形態を表す図
【図３】この考案の更に他の実施形態を表す図
【図４】卓上カレンダーとして使用される考案の実施形態を表す斜視図
【考案を実施するための形態】
【００１７】
この考案の一実施形態として、２つの同一の月の暦表示が並列して表記されている暦表示部を備えていて、前記２つの同一の月の暦表示の一方が、日本国における公用語である日本語で表され、他方が、日本以外の国における公用語で表されているカレンダー、いわば、２か国語カレンダーである場合の一例を添付図面を参照して説明する。
【００１８】
図１は、この考案の一実施形態を示すものである。
【００１９】
２か国語カレンダー１は、同一の月の暦表示２、３が並列表記されている暦表示部４を備えている。
【００２０】
図１において符号２で示されている、一方の同一の月の暦表示は、日本国の公用語である日本語で表されている。
【００２１】
一方、図１において符号３で示されている、同一の月の暦表示の他方は、日本語とは異なる国である米国の公用語である英語で表されている。
【００２２】
これによって、図１の２か国語カレンダー１は、同一の月である２０１７年（平成２９年）１月の暦表示２、３が上下で対になって並列表記されている暦表示部４を備えている。
【００２３】
そして、対になっている一方の暦表示２と、他方の暦表示３とがそれぞれ異なる国におけるそれぞれの公用語で表示されていることにより、同一の月の暦が２か国語で表示されている。
【００２４】
日本語で表されている暦表示２には、日本における祝祭日を日本の言語で表示する祝祭日表示５が付随している。一方、米国の言語（英語）で表されている暦表示３には、米国における祝祭日が米国の言語（英語）で表示する祝祭日表示６が付随している。
【００２５】
また、日本語で表されている暦表示２には、日本の国旗が表示される国旗表示７が付随している。一方、米国の言語（英語）で表されている暦表示３には、米国の国旗が表示される国旗表示８が付随している。
【００２６】
図１では、日本語で表されている暦表示２と、米国の言語（英語）で表されている暦表示３とが、上下で対になって並列表記されて暦表示部４を構成しているが、同一の月の暦表示が対になって並列表記されている実施形態はこれに限られない。
【００２７】
図２は、同一の月の暦表示が横（左右方向）で対になって並列表記されている実施形態である。図１図示の実施形態と共通する部分には共通する符号をつけてその説明を省略する。
【００２８】
図１、図２では、一の国の言語を日本の日本語、他の国の他の言語を米国の英語にしていたが、２か国語の組み合わせはこれらに限られない。
【００２９】
例えば、一の国の言語を日本の日本語とする一方で、他の国の他の言語を韓国の韓国語、中国の中国語（簡体字）、台湾の中国語、タイのタイ語、ベトナムのベトナム語、インドネシアのインドネシア語、フィリピンのタガログ語にすることなどが考えられる。
【００３０】
図３は、一の国の言語を日本の日本語とする一方で、他の国の他の言語をシンガポールの英語にした例である。図１、図２図示の実施形態と共通する部分には共通する符号をつけてその説明を省略する。
【００３１】
この実施形態の２か国語カレンダーは、複数月分あるいは、１年１２カ月分が一枚のシートに掲載されているカレンダー、例えば、壁掛けカレンダーとして使用することができる。壁などに貼り付ける、等して使用することになる。
【００３２】
また、この実施形態の２か国語カレンダーは、図１〜図３図示のように１カ月分が掲載されている複数枚のシートあるいは、複数月分が掲載されている複数枚のシートの上端縁を冊子状に綴じたカレンダー、例えば、壁掛けカレンダーとして使用することもできる。この場合も、上端縁を壁などに取り付ける、等して使用する。
【００３３】
更に、図１〜図３図示のように１カ月分が掲載されている一枚または複数枚の上端側が、支持体の上端側に綴じられている実施形態にすることもできる。例えば、机、テーブルなどの上に置いて使用する卓上カレンダーである。
【００３４】
この場合、前記支持体は、底面を支持面とし、上端が頂点となる三角筒状体を使用することができる。
【００３５】
図４は卓上カレンダーとして使用される場合の一実施形態を説明する斜視図である。
【００３６】
図２で説明したカレンダー１の上端側が、ヒンジ手段１０によって三角筒状体からなる支持体９の頂点１１に綴じられている卓上カレンダー１２である。
【００３７】
本実施形態の２か国語カレンダーによれば、一の国（例えば、日本）と、他の国（例えば、米国、など）の暦を一目で認識することができる。
【００３８】
上記では、２か国語カレンダーについて説明したが、３か国語カレンダー、４か国語カレンダーとすることもできる。
【００３９】
この場合には、例えば、３か国語カレンダーでは、図１の実施形態で、暦表示部は、同一の月（例えば、２０１７年１月）の暦表示が３つ、例えば、上下に並列して表記されている形態になる。
【００４０】
そして、例えば、一番上の暦表示は、日本国における公用語である日本語で表示され、真ん中になる上から二番目の暦表示は、日本国とは異なる国である米国における公用語である英語で表示され、一番下の暦表示は、日本国とも米国とも異なる国である中国における公用語である漢字（簡体語）で表示される。
【００４１】
この場合、それぞれの言語からなる暦表示に、上述した実施形態で説明したように、当該暦表示の各国における祝祭日を当該国の前記公用語で表示する祝祭日表示を付随させ、また、当該暦表示の前記各国の国旗が表示される国旗表示が付随させることができる。
【００４２】
また、例えば、４か国語カレンダーでは、図１の実施形態で、暦表示部は、同一の月（例えば、２０１７年１月）の暦表示が４つ、例えば、上下に並列して表記されている形態になる。
【００４３】
そして、例えば、一番上の暦表示は、日本国における公用語である日本語で表示され、上から二番目の暦表示は、日本国とは異なる国である米国における公用語である英語で表示され、上から三番目の暦表示は、日本国とも米国とも異なる国である中国における公用語である漢字（簡体語）で表示され、一番下の暦表示は、日本国とも米国とも中国とも異なる国である韓国における公用語であるハングルで表示される。
【００４４】
この場合にも、それぞれの言語からなる暦表示に、上述した実施形態で説明したように、当該暦表示の各国における祝祭日を当該国の前記公用語で表示する祝祭日表示を付随させ、また、当該暦表示の前記各国の国旗が表示される国旗表示が付随させることができる。
【００４５】
こうして、同一の月の暦表示が複数並列して表記されている暦表示部を備えていて、前記複数の同一の月の暦表示が、いずれも、それぞれ異なる国におけるそれぞれの公用語で表されていることにより、同一の月の暦が２か国語、３か国語、４か国語など、異なる複数の言語で表示されているカレンダーとすることができる。
【００４６】
このような３か国語以上の言語からなる３か国語カレンダー、４か国語カレンダーの場合も、上述したように、複数月分あるいは、１年１２カ月分が一枚のシートに掲載されているカレンダー（例えば、壁掛けカレンダー）、あるいは、１カ月分が掲載されている複数枚のシートあるいは、複数月分が掲載されている複数枚のシートの上端縁を冊子状に綴じたカレンダー（例えば、壁掛けカレンダー）として使用することができる。また、１カ月分が掲載されている一枚または複数枚の上端側が、支持体の上端側に綴じられていて、机、テーブルなどの上に置いて使用する卓上カレンダーとして使用することができる。
【００４７】
以上の実施形態で説明したカレンダーにおける、それぞれの言語で表されている暦表示には、それぞれの国における祝祭日が、それぞれの国の言語で表示されているので、異なる複数の国の文化、風習を認識するよいツールとなる。
【００４８】
そこで、学校や塾での教材として利用することが考えられる。
【００４９】
また、海外で事業展開している日本企業が、一の国の言語を日本の日本語、他の国の他の言語を海外拠点を置いて事業展開している複数の国の言語にしたこの実施形態の２か国語カレンダーや、３か国語カレンダー、４か国語カレンダーを準備し、その事業展開に活用することが考えられる。
【００５０】
更に、外国の友人へのプレセント、日本を訪問している外国人観光客向けの商品などとして活用することが考えられる。
【００５１】
以上、添付図面を参照して本考案の好ましい実施形態を説明したが、本考案はこれらの実施形態に限られることなく、実用新案登録請求の範囲の記載から把握される技術的範囲において種々に変更可能である。
【符号の説明】
【００５２】
１      ２か国語カレンダー
２、３  同一月の対になっている暦表示
４      暦表示部
５、６  祝祭日表示
７、８  国旗表示
１０  ヒンジ手段
９    三角筒状体からなる支持体
１１  支持体の頂点
１２  卓上カレンダー
【図１】
0003206254.tif 000003
【図２】
0003206254.tif 000004
【図３】
0003206254.tif 000005
【図４】
0003206254.tif 000006